(57)【要約】【課題】カップの持ち運び易さと、飲み物の飲み易さを両立さることができるとともに、少ないスペースで保管可能なカップホルダーを提供する。【解決手段】カップホルダー１は、底筒状のカップを挿入してカップを係止可能な貫通孔７を有する搬送係止部２と、搬送係止部２を挟んで互いに反対方向に延びる可撓性を有した第一帯部３、および、第二帯部４と、カップの外周の長さに対応した位置で第一帯部３、および、第二帯部４を固定する固定部と、を有する。【選択図】図１
0003198026.tif 000002
【実用新案登録請求の範囲】
【請求項１】
有底筒状のカップを挿入して前記カップを係止可能な貫通孔を有する搬送係止部と、
前記搬送係止部を挟んで互いに反対方向に延びる可撓性を有した第一帯部、および、第二帯部と、
前記カップの外周の長さに対応した位置で前記第一帯部、および、前記第二帯部を固定する固定部と、を有するカップホルダー。
【請求項２】
前記固定部は、スナップボタンである請求項１に記載のカップホルダー。
【請求項３】
前記第一帯部と、前記第二帯部との少なくとも一方は、前記固定部よりも端部側に取っ手部を有する請求項１又は２に記載のカップホルダー。
【請求項４】
前記取っ手部は、長孔を有する請求項３に記載のカップホルダー。
【請求項５】
前記カップは、開口部から底部に向かって漸次縮径され、
前記第一帯部、および、前記第二帯部は、それぞれ幅方向の中心線が同一直線上に配され、
前記取っ手部の端縁は、その幅方向の一端が他端よりも前記搬送係止部から離間するように傾斜している請求項３又は４に記載のカップホルダー。
【請求項６】
前記カップは、断面円形に形成され、
前記搬送係止部の前記貫通孔は、前記カップの被係止位置の直径に対応する直径を有する円形に形成されている請求項５に記載のカップホルダー。
【考案の詳細な説明】
【技術分野】
【０００１】
この考案は、カップホルダーに関するものである。
【背景技術】
【０００２】
コーヒー等の飲み物を店舗から持ち帰る場合、紙製やプラスチック製などの使い捨てタイプのカップを用いる場合が多い。この種のカップは、積み重ねて保管することが可能なように、一般に、その外周壁が飲み口から底壁に向かって徐々に縮径するように形成されている。
【０００３】
この種の使い捨てタイプのカップにあっては、外壁が薄く形成されており、とりわけ、熱い飲み物を入れたときに、熱が手に伝わり易い。そこで、ユーザーは、飲み口の周辺を把持するなどの工夫が必要となる。しかし、飲み口を把持していると飲む際に飲み難いという課題があった。一方で、カップに折り畳み式の取っ手が一体に固定されたものがあるが、カップを積み重ねて保管する際に、取っ手の厚さ分だけ積み重ねた寸法が増加してしまう。
【０００４】
そこで、特許文献１には、不使用時には展開してシート状に保管できるとともに、使用時にはカップの外周壁に巻き回して装着可能な取っ手が提案されている。
また、特許文献２には、帯状に形成された帯部の中央部に円形の孔を形成して紙コップ等のカップの飲み口を引っ掛けることが可能な保持具が記載されている。この特許文献２の保持具によれば、カップを置く場所がない場合であっても、カップを首などから吊り下げることができるため、スポーツ観戦時等に両手を使って応援することが可能になっている。
【先行技術文献】
【特許文献】
【０００５】
【特許文献１】実開昭５９−１０６８４５号公報
【特許文献２】特開２００４−２６２４７号公報
【考案の概要】
【考案が解決しようとする課題】
【０００６】
しかしながら、特許文献１に記載のカップは、飲み物を飲み易いようにカップの側面から外周側に取っ手が突出している。つまり、カップを持つ際に片持ち状態になる。そのため、お店から持ち帰る場合など、長時間持ち上げ続けるのには適していない。一方で、特許文献２の吊り下げ具の場合、首から吊り下げるために長尺に形成される。そのため、保管する際に広いスペースが必要になる。さらに特許文献２の場合、首から吊り下げるため、持ち運ぶ際に揺れ易いとともに、飲み物を飲む際にはカップを直接持たなければならず、とりわけ熱い飲み物を扱う場合には適していない。
【０００７】
この考案は、上記事情に鑑みてなされたものであり、カップの持ち運び易さと、飲み物の飲み易さを両立さることができるとともに、少ないスペースで保管可能なカップホルダーを提供するものである。
【課題を解決するための手段】
【０００８】
上記の課題を解決するために、この考案は以下の構成を備える。
この考案に係るカップホルダーは、有底筒状のカップを挿入して前記カップを係止可能な貫通孔を有する搬送係止部と、前記搬送係止部を挟んで互いに反対方向に延びる可撓性を有した第一帯部、および、第二帯部と、前記カップの外周の長さに対応した位置で前記第一帯部、および、前記第二帯部を固定する固定部と、を有する。
このように構成することで、搬送係止部の貫通孔にカップを挿入した後に、第一帯部と第二帯部とをカップの上方で固定することができる。そのため、第一帯部と第二帯部との少なくとも一方を持ち上げることで、カップを直接把持することなしに、安定してカップを持ち運びすることができる。一方で、カップの外周の長さに対応した位置で固定部により第一帯部と第二帯部とを固定することができるため、第一帯部と、搬送係止部と、第二帯部とを、カップの周方向に巻き付けて、カップを保持することができる。そのため、第一帯部と第二帯部との少なくとも一方を把持して持ち上げることで、カップを直接把持することなしに、カップ内の飲み物を容易に飲むことができる。さらに、使用前には、シート状に展開して保管することができる。
その結果、カップの持ち運び易さと、飲み物の飲み易さを両立さることができるとともに、少ないスペースで保管ができる。
【０００９】
さらに、この考案に係るカップホルダーは、上記カップホルダーにおいて、前記固定部が、スナップボタンであってもよい。
このように構成することで、固定部による第一帯部と第二帯部との結合状態を容易に解除することができる。その結果、搬送係止部にカップを挿入して持ち運ぶ状態から、カップ内の飲み物を飲む状態に、迅速に切り替えることができる。
【００１０】
さらに、この考案に係るカップホルダーは、上記カップホルダーにおいて、前記第一帯部と、前記第二帯部との少なくとも一方が、前記固定部よりも端部側に取っ手部を有していてもよい。
このように構成することで、第一帯部と第二帯部との少なくとも一方の端部を容易に把持することができる。その結果、より一層、持ち運び易さ、および、飲み易さを向上することができる。
【００１１】
さらに、この考案に係るカップホルダーは、上記カップホルダーにおいて、前記取っ手部が、長孔を有していてもよい。
このように構成することで、例えば、ユーザーの指を長孔に引掛けることができる。その結果、カップを持ち運ぶ際も、飲み物を飲む際も、より少ない力でカップを持ち上げることができる。
【００１２】
さらに、この考案に係るカップホルダーは、上記カップホルダーにおいて、前記カップが、開口部から底部に向かって漸次縮径され、前記第一帯部、および、前記第二帯部は、それぞれ幅方向の中心線が同一直線上に配され、前記取っ手部の端縁が、その幅方向の一端が他端よりも前記搬送係止部から離間するように傾斜していてもよい。
このように構成することで、第一帯部と第二帯部とをカップの外周壁に巻き付けた状態のときに、カップの傾斜に対応して第一帯部と第二帯部とが取っ手部に向かって斜め上方に延びたとしても、取っ手部の向きが傾斜していることで、取っ手部の延びる向きを上下方向にすることができる。その結果、カップ内の飲み物を飲む際に、ユーザーが取っ手部をより持ち易くなる。
【００１３】
さらに、この考案に係るカップホルダーは、上記カップホルダーにおいて、前記カップが、断面円形に形成され、前記搬送係止部の前記貫通孔が、前記カップの被係止位置の直径に対応する直径を有する円形に形成されていてもよい。
このように構成することで、貫通孔の直径を変えるだけで、カップの被係止位置を変更することができる。そのため、様々な大きさのカップに容易に対応することができる。
【考案の効果】
【００１４】
この考案に係るカップホルダーによれば、カップの持ち運び易さと、飲み物の飲み易さを両立さることができるとともに、少ないスペースで保管することができる。
【図面の簡単な説明】
【００１５】
【図１】この考案の実施形態におけるカップホルダーが展開状態の場合の平面図である。
【図２】この考案の実施形態におけるカップホルダーが吊り下げ状態の場合の斜視図である。
【図３】この考案の実施形態におけるカップホルダーが持ち上げ状態の場合の斜視図である。
【図４】この考案の実施形態におけるカップホルダーが吊り下げ状態で取り付けられたカップの側面図である。
【図５】この考案の実施形態におけるカップホルダーが持ち上げ状態で取り付けられたカップの側面図である。
【考案を実施するための形態】
【００１６】
次に、この考案の一実施形態におけるカップホルダーを図面に基づき説明する。
図１は、この考案の実施形態におけるカップホルダーが展開状態の場合の平面図である。図２は、この考案の実施形態におけるカップホルダーが吊り下げ状態の場合の斜視図である。図３は、この考案の実施形態におけるカップホルダーが持ち上げ状態の場合の斜視図である。
【００１７】
図１から図３に示すように、この実施形態のカップホルダー１は、カップＣ（図２、図３参照）に装着される。このカップＣは、有底円筒状に形成されるとともに、有底円筒状の開口部から底部に向かって漸次縮径している。カップＣは、例えば、紙や樹脂等により形成されている。このカップＣには、その開口部の周縁に、径方向の外側に向かって突出する突条（図示せず）が全周に形成されている。図２、図３においては、持ち運び用の蓋ＦによってカップＣの開口部が閉塞されている場合を例示している。
【００１８】
図１に示すように、カップホルダー１は、紙や樹脂等の可撓性に優れた材料によって厚さが１ｍｍ程度のシート状に形成されている。このカップホルダー１は、搬送係止部２と、第一帯部３と、第二帯部４と、取っ手部５と、固定部６と、を有している。
【００１９】
搬送係止部２は、カップＣを底部側から挿入可能な貫通孔７を有している。この搬送係止部２は、カップＣと貫通孔７との嵌め合いによりカップＣを固定することが可能になっている。貫通孔７の直径は、カップＣの開口部の直径よりも小さく、カップＣの底部の直径よりも大きく形成されている。この実施形態において、搬送係止部２が固定される被係止位置は、カップＣの上下中央よりもやや上方に設定されている。これにより、搬送係止部２は、被係止位置よりも開口部側へ変位しないようになっている。さらに、搬送係止部２は、被係止位置よりも底部側には変位可能になっている。
【００２０】
第一帯部３は、搬送係止部２から離間する方向に延びている。同様に、第二帯部４は、搬送係止部２から離間する方向で、且つ、第一帯部３が延びる方向とは反対側に向かって延びている。これら第一帯部３と第二帯部４とは、それぞれ搬送係止部２よりも幅が狭い帯状に形成されている。この実施形態における第一帯部３と第二帯部４とは、貫通孔７の直径よりも幅が狭く形成されている。これら第一帯部３と第二帯部４とは、それぞれの幅方向の中心線Ｏ１と中心線Ｏ２が、同一直線上に配されるように形成されている。この実施形態における第一帯部３と第二帯部４とは、搬送係止部２を挟んで対称に形成されている。
【００２１】
取っ手部５は、カップホルダー１を持ち上げる際に、ユーザーが把持する部分である。取っ手部５は、第一帯部３と第二帯部４とのうち少なくとも一方に設けられている。この実施形態における取っ手部５は、第一帯部３の端部と第二帯部４の端部との両方に設けられている。これら取っ手部５は、それぞれ第一帯部３と、第二帯部４とをそれぞれ延長するように連続して形成されている。
【００２２】
これら取っ手部５の端縁５ａは、中心線Ｏ１と中心線Ｏ２の延びる方向で、その幅方向の一端５ｂが他端５ｃよりも、搬送係止部２から離間するように傾斜している。カップホルダー１は、図３に示す持ち上げ状態の場合に、取っ手部５の端縁５ａの一端５ｂが上方に配置されるようにして、カップＣに取り付けられる。
取っ手部５は、長孔１０を有している。この長孔１０は、上述した端縁５ａに沿うように傾斜して形成されている（図１参照）。
【００２３】
固定部６は、カップＣの外周の長さに対応した位置で第一帯部３、および、第二帯部４同士を固定する。この実施形態における固定部６は、係脱自在な一組のスナップボタンにより構成されている。すなわち、第一帯部３と第二帯部４との何れか一方にスナップボタンの雄パーツ６ａが取り付けられ、第一帯部３と第二帯部４との何れか他方にスナップボタンの雌パーツ６ｂが取り付けられる。この固定部６によって、第一帯部３の端部と第二帯部４の端部とを互いに対向した状態で固定可能になっている。この実施形態の固定部６は、第一帯部３および第二帯部４の幅方向の中央に配置されている。中心線Ｏ１，Ｏ２方向における雄パーツ６ａと雌パーツ６ｂとの間隔Ｌ１は、カップＣの開口部の周長よりも短く、且つ、カップＣの底壁の周長よりも長く設定されている。
【００２４】
この実施形態におけるカップホルダー１は、上述した構成を備えている。次に、このカップホルダー１のカップＣへの装着方法について図２〜図５を参照しながら説明する。図４は、この考案の実施形態におけるカップホルダーが吊り下げ状態で取り付けられたカップの側面図である。図５は、この考案の実施形態におけるカップホルダーが持ち上げ状態で取り付けられたカップの側面図である。
カップホルダー１は、カップＣに対して二通りの装着状態がある。一つは、カップＣを持ち運ぶ際の吊り下げ状態であり、もう一つは、カップＣ内の飲み物を飲む際の持ち上げ状態である。
【００２５】
例えば、店舗でコーヒー等の飲み物を購入して自宅や職場などに持ち帰る際には、図２に示す吊り下げ状態とする。具体的には、カップホルダー１の搬送係止部２の貫通孔７に対して、カップＣを底部から挿入する。次いで、固定部６の雄パーツ６ａと雌パーツ６ｂとを、カップＣの上方で結合する。ユーザーは、この状態で、長孔１０に指を引っ掛けて、カップホルダー１を上方に持ち上げる。つまり、これにより、カップホルダー１によってカップＣを吊り下げた状態で持ち運ぶことができる。この際、図４に示すように、取っ手部５を上方に引き上げると、カップＣの重さによって、第一帯部３と第二帯部４とがカップＣの開口部周縁を外周側から押圧する状態となる。これにより、蓋Ｆが開口部周縁とカップホルダー１との間に挟まれて、蓋Ｆの脱落防止効果が得られる。
【００２６】
ユーザーは、吊り下げ状態でカップＣを持ち運んだ後、上述したカップホルダー１の装着手順と反対の手順でカップＣからカップホルダー１を取り外す。すなわち、固定部６による結合を解除して、貫通孔７からカップＣを上方に引き抜く。その後、図３に示す持ち上げ状態とする。この持ち上げ状態においては、取っ手部５がカップＣの外周側に配置される。具体的には、カップホルダー１の固定部６の雄パーツ６ａと雌パーツ６ｂとを結合する。これにより、第一帯部３と第二帯部４と搬送係止部２とによってカップＣの収容空間が形成される。この収容空間に対して、カップＣを底部から挿入する。
【００２７】
ここで、カップホルダー１を持ち上げ状態でカップＣに装着する手順は、上述した固定部６を結合した後にカップＣを底部から挿入する手順に限られない。例えば、カップホルダー１をカップＣに巻き付けてから雄パーツ６ａと雌パーツ６ｂとを結合させるようにしても良い。
【００２８】
上述した持ち上げ状態でカップホルダー１をカップＣに取り付けることで、一般的なコーヒーカップと同様に、ユーザーは、カップＣの側方に配される取っ手部５を把持する、又は、長孔１０に指を引っ掛けて、カップＣを持ち上げることが可能となる。
【００２９】
図５に示すように、この際、持ち上げ状態のカップホルダー１は、取っ手部５とは反対側のカップＣの外周面の傾斜に沿うように搬送係止部２が配置される。この搬送係止部２によって、カップＣの上部と下部とをそれぞれ支持することができる。そのため、取っ手部５を上方に持ち上げた際に、カップＣをより安定して持ち上げることができる。
【００３０】
また、カップホルダー１は、搬送係止部２がカップＣの傾斜に沿うように配置されることで、第一帯部３と第二帯部４とが、搬送係止部２が接するカップＣの外周面の傾斜角度に応じて、搬送係止部２からその中心線Ｏ１および中心線Ｏ２が斜め上方に向かって延びる状態となる。しかし、取っ手部５および長孔１０が予め傾斜して形成されているため、これら中心線Ｏ１と中心線Ｏ２とが傾斜した状態で、取っ手部５および長孔１０は、ほぼ上下方向を向くようになる。そのため、ユーザーは、取っ手部５を把持したり、長孔１０を指で引っ掛けたりする行為を、違和感なく行うことができる。
【００３１】
図１、図５に示すように、この実施形態における搬送係止部２には、カップＣに装着した際に、底部よりも下方、および、開口部よりも上方にはみ出さないように、切欠きＫが形成されている。
【００３２】
したがって、上述した実施形態のカップホルダーによれば、搬送係止部２の貫通孔７にカップＣを挿入した後に、第一帯部３と第二帯部４とをカップＣの上方で固定することができる。そのため、第一帯部３と第二帯部４との少なくとも一方を持ち上げることで、カップＣを直接把持することなしに、安定してカップＣを持ち運びすることができる。
【００３３】
一方で、カップＣの外周の長さに対応した位置で固定部６により第一帯部３と第二帯部４とを固定することができるため、第一帯部３と、搬送係止部２と、第二帯部４とを、カップＣの周方向に巻き付けて、カップＣを保持することができる。そのため、第一帯部３と第二帯部４との少なくとも一方を把持して持ち上げることで、カップＣを直接把持することなしに、カップＣ内の飲み物を容易に飲むことができる。さらに、使用前には、シート状に展開して保管することができる。
その結果、カップＣの持ち運び易さと、飲み物の飲み易さを両立さることができるとともに、少ないスペースで保管ができる。
【００３４】
さらに、第一帯部３と、第二帯部４とが、固定部６よりも端部側に取っ手部５を有しているため、第一帯部３と第二帯部４との端部を容易に把持することができる。その結果、より一層、持ち運び易さ、および、飲み易さを向上することができる。
【００３５】
さらに、固定部６がスナップボタンであるため、固定部６による第一帯部３と第二帯部４との結合状態を容易に解除することができる。
その結果、搬送係止部２にカップＣを挿入して持ち運ぶ状態から、カップＣ内の飲み物を飲む状態に、迅速に切り替えることができる。
【００３６】
さらに、取っ手部５が長孔１０を有しているため、例えば、ユーザーの指を長孔１０に引掛けることができる。その結果、カップＣを持ち運ぶ際も、飲み物を飲む際も、より少ない力でカップＣを持ち上げることができる。
【００３７】
さらに、取っ手部５の端縁５ａが、その幅方向の一端５ｂが他端５ｃよりも搬送係止部２から離間するように傾斜している。そのため、第一帯部３と第二帯部４とをカップＣの外周壁に巻き付けた状態のときに、カップＣの傾斜に対応して第一帯部３と第二帯部４とが取っ手部５に向かって斜め上方に延びる場合であっても、取っ手部５の延びる向きを上下方向にすることができる。その結果、カップＣ内の飲み物を飲む際に、ユーザーが取っ手部５をより持ち易くなる。
【００３８】
さらに、搬送係止部２の貫通孔７が、カップＣの被係止位置の直径に対応する直径を有する円形に形成されているため、カップＣが断面円形に形成されている場合に、貫通孔７の直径を変えるだけで、カップＣの被係止位置を変更することができる。そのため、様々な大きさのカップＣに容易に対応することができる。
【００３９】
この考案は上述した実施形態の構成に限られるものではなく、その要旨を逸脱しない範囲で設計変更可能である。
例えば、上述した実施形態においては、一組のスナップボタンからなる固定部６が第一帯部３と第二帯部４とに渡るように一つだけ設けられる場合について説明した。しかし、固定部６の個数は一つに限られない。第一帯部３と第二帯部４との幅方向に複数並べて配置するようにしても良い。
【００４０】
さらに、取っ手部５に長孔１０を形成する場合について説明したが、長孔１０に限られない。例えば、円形の孔や、矩形状の孔であっても良い。さらに、指を引っ掛けられる構成であれば孔に限られない。例えば、取っ手部５をＬ字状等に形成してもよい。
【００４１】
さらに、第一帯部３と第二帯部４との中心線Ｏ１と中心線Ｏ２とが直線状に延びる場合について説明した。しかし、第一帯部３と第二帯部４との形状は、上述した形状に限られない。例えば、中心線Ｏ１、および、中心線Ｏ２が湾曲するようにしても良い。
【００４２】
さらに、上述した実施形態においては、固定部６としてスナップボタンを用いる場合について説明したが、着脱可能であればスナップボタンに限られるものではない。
さらに、上述した実施形態においては、搬送係止部２の貫通孔７が円形の場合について説明した。しかし、貫通孔７の形状は円形に限られない。貫通孔７によってカップＣを係合できれば良く、例えば、貫通孔７をカップＣの被係止位置の直径に応じた多角形状にしてもよい。
【００４３】
さらに、上述した実施形態においては、第一帯部３と第二帯部４との端部両方に取っ手部５を設ける場合について説明した。しかし、取っ手部５は、第一帯部３と第二帯部４との何れか一方のみに設けても良い。さらに、固定部６の近傍で第一帯部３と第二帯部４とを把持可能な場合には、取っ手部５を省略しても良い。
さらに、上述した実施形態のカップＣには、開口部の周縁に、径方向の外側に向かって突出する突条（図示せず）が全周に形成されている場合について説明した。しかし、突条は、全周に限られず一部に設けられていてもよい。さらに、突条を省略しても良い。
【００４４】
さらに、上述した実施形態においては、第一帯部３と第二帯部４と搬送係止部２とが全て可撓性を有するシート状に形成される場合について説明した。しかし、搬送係止部２については、可撓性を有さなくても良い。
さらに、上述した実施形態においては、カップＣが、開口部から底壁に向かって漸次縮径する場合について説明したが、開口部の周縁に突条等の突起が形成されている場合には、一定の直径のカップであっても良い。
【符号の説明】
【００４５】
１  カップホルダー
２  搬送係止部
３  第一帯部
４  第二帯部
５  取っ手部
５ａ  端縁
５ｂ  一端
５ｃ  他端
６  固定部
６ａ  雄パーツ
６ｂ  雌パーツ
７  貫通孔
１０  長孔
Ｃ  カップ
Ｆ  蓋
Ｋ  切欠き
Ｏ１，Ｏ２  中心線
【図１】
0003198026.tif 000003
【図２】
0003198026.tif 000004
【図３】
0003198026.tif 000005
【図４】
0003198026.tif 000006
【図５】
0003198026.tif 000007